(57)【要約】【課題】検知距離が自動的に調節される人体検知装置を提供する。【解決手段】タンクカバー３の上部には、トイレ室１内に入室した人体を検知する人体検知センサ９が設けられている。なお、人体検知センサ９は便蓋５が起立するとその陰になる位置に設置されている。人体検知センサ９の検知信号に基づいて便蓋５が起立し、その後、６０秒のタイムアップに伴って便蓋５が自動閉止し、次いで直ちに（例えば３秒以内に）再び人体検知センサ９の検知信号に基づいて便蓋５が起立するという自動開放・自動閉止が所定回数（例えば５回）以上連続して繰り返されるならば、人体検知センサ９は人体ではなく壁又はドアを検知しているものとみなし、その検知距離を所定距離（例えば３０ｍｍ）短くする。【選択図】図１
2005195467.tif 000002
【特許請求の範囲】
【請求項１】
検知距離を調節する機能を有する人体検知装置において、
所定時間以上検知状態が継続する場合に検知距離を小さくする検知距離調節手段を備えたことを特徴とする人体検知装置。
【請求項２】
請求項１において、前記検知距離調節手段は、所定時間以上検知状態が継続する場合に、検知距離を所定距離だけ小さくすることを特徴とする人体検知装置。
【請求項３】
請求項１において、前記検知距離調節手段は、所定時間以上検知状態が継続する場合に、検知距離を不検知状態となるまで小さくすることを特徴とする人体検知装置。
【請求項４】
人体検知に応じて便蓋を開放させるための人体検知装置であって、検知距離を調節する機能を有する人体検知装置において、
便蓋自動開閉機能を停止させて便蓋を閉めた状態において、所定時間以上検知状態が継続する場合に検知距離を小さくする検知距離調節手段を備えたことを特徴とする人体検知装置。
【請求項５】
人体検知に応じて便蓋を開放させるための人体検知装置であって、
便蓋が開放した後、所要時間内に便座への着座がなされない場合に便蓋を閉止させる自動閉止手段を備えていると共に、
検知距離を調節する機能を有する人体検知装置において、
便蓋が自動閉止した後、所定時間内に便蓋が自動開放し、次いで、再度便蓋が自動閉止する現象が所定回数以上繰り返す場合に検知距離を小さくする検知距離調節手段を備えたことを特徴とする人体検知装置。
【請求項６】
人体検知に応じて便蓋を開放させ、人体不検知に応じて便蓋を閉止させるための人体検知装置において、
便座に対し非着座の状態において検知状態が所定時間以上継続する場合に検知距離を小さくする検知距離調節手段を備えたことを特徴とする人体検知装置。
【発明の詳細な説明】
【技術分野】
【０００１】
本発明は人体検知装置に係り、特に便器に設けられた便蓋の自動開閉装置等に適用するのに好適な人体検知装置に関する。詳しくは、検知距離（人体検知装置から、検出可能な人体までの距離の最大値）を調節する機能を有する人体検知装置に関する。
【背景技術】
【０００２】
第２図は便蓋の自動開閉装置を備えた洋風便器の一例を示す斜視図である。この洋風便器１０に便座ボックス１２が設置され、便座１４及び便蓋１６が上下方向回動可能に該便座ボックス１２に取り付けられている。符号１８はロータンクを示す。
【０００３】
この便座ボックス１２は側方に張り出す張出部２０を備えており、この張出部２０上に人体臀部を温水で洗浄する温水洗浄装置等の操作スイッチが設けられている。
【０００４】
この便座ボックス１２内に便蓋１６を起倒回動させるためのモータ等の駆動装置が設けられており、張出部２０にはこの駆動装置を作動させるべく人体検知センサ２２が設けられている。
【０００５】
この人体検知センサとしては赤外線センサ例えばＰＳＤ(position  sensitive  detector)などが用いられている。このＰＳＤは、発光素子を発光させ、人体からの反射光をＰＳＤ素子上に集光させ、該ＰＳＤ素子上の集光位置に基づいてセンサから人体までの距離を求めるようにしたものである。
【０００６】
第３，４図に示すように、この人体検知センサ２２の赤外線は洋風便器１０の前方斜め上方、且つ洋風便器１０の中央側に向って放射される。
【０００７】
通常の場合、該センサ２２は、人体が洋風便器１０の前端付近までの距離Ｌｍｉｎとそれよりも約３００ｍｍ先までの距離Ｌｍａｘとの間の検知エリアに入り込むと人体検知信号を出力する。この信号の入力を受けた制御回路が便蓋駆動装置を駆動し、便蓋１６が起立回動する。検知エリア内に人体が検知されなくなると、所定時間（例えば１分）経過後に便蓋１６が自動的に閉止回動する。
【０００８】
なお、便座１４に着座した人体を検知する着座センサを設けておき、着座が検知されなくなってから所定時間後に便蓋１６を自動的に閉止させることもある。
【０００９】
トイレルームが狭い場合、洋風便器の前方３００ｍｍ程度の位置に壁やドアが位置することがある。このような場合、従来の便蓋自動開閉装置付き洋風便器は、（壁又はドアが常に検知されるため）設置できないことになる。
【００１０】
また、トイレルームが広い場合には、トイレルームに人が入った段階ですぐに便蓋が開くようにしたいことがあるが、従来の人体検知装置では人体が洋風便器に３００ｍｍ程度にまで近づかないと便蓋が開かないという不便がある。
【００１１】
本出願人は、このような不便を解消し、人体検知エリアの境界を自ら設定しうる人体検知装置を特開２００１−１９４４６５号にて提案している。
【００１２】
同号の人体検知装置は、検知エリア内の人体を検知する人体検知装置において、検知エリアの境界を徐々に変更し対象物が初めて検知又は不検知になったときの境界に基づいて検知エリアの境界を設定する境界設定手段を設けたことを特徴とするものである。
【００１３】
具体的には、便座ボックスに設けられた検知エリア調節スイッチ（図示略）を操作すると、まず検知エリアの上限（検知距離）を十分に大きな値Ｌ０に設定する。このＬ０は例えば１０００ｍｍとしたり、或いは人体検知センサの検知上限距離に設定される。
【００１４】
そして、この検知エリア内に物体（例えばトイレルームの壁又はドア。なお、ドアの場合はドアを閉めておく。）が存在するか否かを判定する。Ｌ０を十分に大きな値としているので、通常は壁又はドアが検知される。そこで、次に検知距離を１０ｍｍだけ短い距離に設定し、再度壁やドアが検知されるか否かを判定する。このプロセスを壁やドアが検知されなくなるまで繰り返す。そして壁やドアが初めて検知されなくなったときの検知距離から５０ｍｍ減じた値を検知距離として設定する。
【００１５】
これにより、トイレルームが狭く壁やドアが洋風便器前方に近接している場合であっても便蓋自動開閉装置付き洋風便器を該トイレルームに設置することが可能となる。また、トイレルームが広い場合であってもトイレルームに入るとすぐに便蓋が開くようになる。
【特許文献１】特開２００１−１９４４６５号公報
【発明の開示】
【発明が解決しようとする課題】
【００１６】
上記特開２００１−１９４４６５号公報にあっては、検知距離を調節するためには、調節スイッチを操作する必要があり、専門の工事業者でないと検知距離調節操作が行われないおそれがある。また、一旦検知距離が調節されたとしても、その後、トイレルーム内の便器前方に棚を設けたり、置物を設置したりすることにより、棚や置物等が検知エリアに掛かり、便蓋が開放するおそれもある。
【００１７】
本発明は、検知距離が自動的に調節される人体検知装置を提供することを目的とする。
【課題を解決するための手段】
【００１８】
請求項１の人体検知装置は、検知距離を調節する機能を有する人体検知装置において、所定時間以上検知状態が継続する場合に検知距離を小さくする検知距離調節手段を備えたことを特徴とするものである。
【００１９】
請求項２の人体検知装置は、請求項１において、前記検知距離調節手段は、所定時間以上検知状態が継続する場合に、検知距離を所定距離だけ小さくすることを特徴とするものである。
【００２０】
請求項３の人体検知装置は、請求項１において、前記検知距離調節手段は、所定時間以上検知状態が継続する場合に、検知距離を不検知状態となるまで小さくすることを特徴とするものである。
【００２１】
請求項４の人体検知装置は、人体検知に応じて便蓋を開放させるための人体検知装置であって、検知距離を調節する機能を有する人体検知装置において、便蓋自動開閉機能を停止させて便蓋を閉めた状態において、所定時間以上検知状態が継続する場合に検知距離を小さくする検知距離調節手段を備えたことを特徴とするものである。
【００２２】
請求項５の人体検知装置は、人体検知に応じて便蓋を開放させるための人体検知装置であって、便蓋が開放した後、所要時間内に便座への着座がなされない場合に便蓋を閉止させる自動閉止手段を備えていると共に、検知距離を調節する機能を有する人体検知装置において、便蓋が自動閉止した後、所定時間内に便蓋が自動開放し、次いで、再度便蓋が自動閉止する現象が所定回数以上繰り返す場合に検知距離を小さくする検知距離調節手段を備えたことを特徴とするものである。
【００２３】
請求項６の人体検知装置は、人体検知に応じて便蓋を開放させ、人体不検知に応じて便蓋を閉止させるための人体検知装置において、便座に対し非着座の状態において検知状態が所定時間以上継続する場合に検知距離を小さくする検知距離調節手段を備えたことを特徴とするものである。
【発明の効果】
【００２４】
請求項１の人体検知装置にあっては、検知状態が所定時間以上継続すると、検知距離が自動的に調節される。このため、使用者が調節することなく適正な検知距離となり、調節の手間が不要となる。
【００２５】
請求項２の人体検知装置にあっては、検知状態が所定時間以上継続すると、検知距離が所定距離短くなる。それでもなお、検知状態が所定時間以上継続すると、検知距離が所定距離短くなる。これを必要に応じて繰り返すことにより、壁やドア等が検知されなくなるまで検知距離が自動的かつ段階的に短くなる。このため、使用者が調節することなく適正な検知距離となり、調節の手間が不要となる。
【００２６】
請求項３の人体検知装置にあっては、検知状態が所定時間以上継続すると、検知距離が不検知状態となるまで短くなる。従って、検知距離の調節が１回で自動的に完了し、検知距離の調節に要する時間が短縮される。
【００２７】
請求項４の人体検知装置においても、同様に、検知距離が自動的に短くなる。
【００２８】
なお、この請求項４の人体検知装置にあっては、検知距離調節を行う場合、便蓋自動開閉機能を停止させて便蓋を閉めた状態としておく。この状態であると、人体検知装置が検知状態となっても便蓋は起立しない。このため、この人体検知装置によると、人体検知センサが、起立した便蓋の陰となる位置に設けられている場合にも検知距離調節を行うことができる。
【００２９】
請求項５の人体検知装置にあっては、便蓋が所定回数以上自動開閉する現象が生じる場合に、検知距離が長すぎると判断し、検知距離を短くするよう調節が行われる。これにより、検知距離が調節される。
【００３０】
請求項６の人体検知装置は、人体が検知されると便蓋が自動開放し、人体が検知されなくなると便蓋が自動閉止するタイプの便蓋自動開閉装置に適用される。この場合、非着座であるにもかかわらず検知が所定時間以上継続する場合に検知距離が短くなるので、検知距離が自動的に短縮される。
【００３１】
なお、請求項４〜６の人体検知装置において、検知状態が所定時間以上継続すると検知距離を所定距離だけ短くするように調整が行われてもよい。この場合、所定時間後に検知距離が所定距離短くなるというプロセスが必要に応じて繰り返されることにより、壁やドア等が検知されなくなるまで検知距離が自動的に短くなる。
【００３２】
また、請求項４〜６の人体検知装置において、検知状態が所定時間以上継続すると検知距離を不検知状態となるまで短くするように調整が行われてもよい。この場合、検知距離の調節が１回で自動的に完了し、検知距離の調節に要する時間が短縮される。
【発明を実施するための最良の形態】
【００３３】
以下、図面を参照して実施の形態について説明する。第１図は実施の形態に係る人体検知装置付きトイレ設備を備えたトイレ室内の斜視図である。
【００３４】
トイレ室１内に設置された洋風便器２の後部上面には、タンクカバー３が設置されており、タンクカバー３の前側の凸部３Ａには、便座４及び便蓋５が上下方向に回動可能に取り付けられている。
【００３５】
タンクカバー３には、リモコン１０からの信号を受光する受光部７が設けられている。
【００３６】
タンクカバー３の上部には、トイレ室１内に入室した人体を検知する人体検知センサ９が設けられている。なお、人体検知センサ９は便蓋５が起立するとその陰になる位置に設置されている。
【００３７】
図示は省略するが、便座４には着座センサ（静電容量センサや感圧センサなど）が設けられている。また、タンクカバー３内には洗浄ノズルを備えた温水洗浄装置、温風乾燥装置、脱臭装置、便座・便蓋回動装置のほか、これらの温水洗浄装置、温風乾燥装置、便座・便蓋回動装置等を制御する制御回路を搭載した回路基板（図示略）が設置されている。
【００３８】
トイレ室１の壁面にはリモコン１０が取り付けられている。このリモコン１０には、温水洗浄装置を作動させるシャワースイッチ及びビデスイッチ、温風乾燥装置を作動させる乾燥スイッチ、便蓋自動開閉停止スイッチ、温水洗浄装置又は温風乾燥装置の作動を停止させる停止スイッチ、温水洗浄装置の洗浄強さを調節する洗浄強さ調節スイッチのほか、便座開閉スイッチ、便器をフラッシュ洗浄するための大用フラッシュスイッチ、小用フラッシュスイッチ等が設けられている。また、このリモコン１０には、赤外線信号光を受光部７へ向けて発信する信号光発信回路が設けられている。
【００３９】
便蓋自動開閉機能を効かせた状態において、トイレ使用者がトイレ室１に入室すると、人体検知センサ９によって検知され、便蓋５が開く。
【００４０】
この実施の形態では、便蓋５が開くと、人体検知センサ９が便蓋５の陰になるので、便蓋５が起立した後は、人体検知センサ９による検知を中断し、その代りにタイマーをスタートさせる。そして、所定時間（例えば３０〜１００秒、具体的には６０秒）以内に着座がなされないときには、人はトイレルームから退室したものとみなして便蓋５を倒伏させ、再び人体検知センサ９による人体検知を再開する。
【００４１】
この人体検知センサ９の検知距離を調節するための回路が前記回路基板に搭載されている。
【００４２】
この検知距離調節回路の諸態様について次に説明する。
【００４３】
第１の態様では、人体検知センサ９の検知信号に基づいて便蓋５が起立し、６０秒タイマーがスタートし、その後、６０秒のタイムアップに伴って便蓋５が自動閉止し、次いで直ちに（例えば１〜５秒以内、具体的には３秒以内に）再び人体検知センサ９の検知信号に基づいて便蓋５が起立するという自動開放・自動閉止が所定回数（例えば３〜１０回、具体的には５回）以上連続して繰り返されるならば、人体検知センサ９は人体ではなく壁又はドアを検知しているものとみなし、その検知距離を所定距離（例えば３０ｍｍ）短くする。これを繰り返すことにより、人体検知センサ９の検知距離は壁、ドア等を検知しない範囲でなるべく長い値にまで短縮される。
【００４４】
第２の態様にあっては、検知距離調節は、便蓋の自動開閉停止モードにて行われる。この場合、例えばリモコン１０に設けられたスイッチのうち特定の複数のものを同時に押した場合に便蓋を自動開閉停止モードにおくようにしてもよい。
【００４５】
便蓋５が閉じた状態でこの自動開閉停止モードにすると、引き続いて検知距離チェックモードが実行される。この検知距離チェックモードにあっては、人体検知センサ９が検知状態を継続するかどうか監視する。そして、人体検知状態が所定時間（例えば１０〜３０分、具体的には２０分）以上継続する場合には、検知距離を所定距離だけ短くする。次いで、この自動開閉停止モードを解除し、通常モードに復帰する。
【００４６】
この検知距離調節によってもなお検知距離が長すぎる場合には、上記の手順を繰り返す。これにより、検知距離が適正なものとなる。
【００４７】
別の実施の形態について次に説明する。
【００４８】
この実施の形態は、前記第２図の構成の便器設備に係るものであり、人体検知センサ２２が便蓋１６の起倒の如何にかかわりなく常に人体を検知しうるものである。
【００４９】
この実施の形態に係る検知距離調節態様（第３の態様）では、次のようにして人体検知センサ２２の検知距離が調節される。
【００５０】
即ち、便蓋１６及び便座１４がいずれも開であるときに、人体検知センサ２２が所定時間（例えば１０〜３０分、具体的には２０分）以上検知状態を継続する場合には、壁やドア等を検知しているものとみなし、人体検知センサ２２の検知距離を所定距離（例えば３０ｍｍ）短くする。
【００５１】
必要に応じ同様の手順を繰り返すことにより、人体検知センサ２２の検知距離は壁やドア等を検知しない範囲でなるべく長いものとなる。
【００５２】
なお、上記第１及び第３の態様では、所定時間以上検知状態が継続する場合に検知距離を所定距離だけ小さくする構成となっているが、所定時間以上検知状態が継続する場合に検知距離を不検知状態となるまで小さくする構成としてもよい。この場合、例えば、所定時間以上検知状態が継続する場合に、検知距離を１０ｍｍだけ短い距離に設定し、再度壁やドアが検知されるか否かを判定する。このプロセスを壁やドアが検知されなくなるまで繰り返す。そして壁やドアが初めて検知されなくなったときの検知距離から５０ｍｍ減じた値を検知距離として設定する。このようにすると、検知距離の調節が１回で自動的に完了し、検知距離の調節に要する時間が短縮される。
【００５３】
上記第１及び第３の態様では、人体検知センサの検知距離調節動作は自動的に実行されるが、それに加えて、検知距離調節開始信号が与えられたときに上記の調節動作が実行されるよう構成してもよい。この開始信号を与えるために、専門のスイッチを設けてもよく、リモコン又は便座ボックス側のスイッチのうち特定の複数のものを同時に押すことにより開始信号が与えられる構成としてもよい。
【００５４】
なお、検知距離調節が終了したならば、自動的に通常モードに戻るよう構成するのが好ましい。
【００５５】
上記の態様では、いずれも検知距離を３０ｍｍずつ切り替えるよう構成しているが、この切り替え幅３０ｍｍは一例であって、これに限定されるものではない。なお、この切り替え幅は１０〜５０ｍｍ程度が好適である。また、この切り替え幅をスイッチ操作により調節できるようにしてもよい。
【００５６】
また、例えば５０ｍｍなどの比較的大きな切り替え幅で検知距離を調節し、壁やドア等が検知されなくなった後、比較的小さい切り替え幅（例えば５〜２０ｍｍ）で検知を長くし、最初に壁やドア等が検知される直前の段階にまで検知距離を延長するようにしてもよい。
【００５７】
本発明では、検知距離を調節中であることを示す表示手段を設けてもよい。この表示手段としては、音声手段であってもよいが、便座ボックスやロータンクカバーに設けた表示ランプを点灯させたり、点滅させるものが好適である。
【００５８】
本発明では、検知距離を自動的に調節する機能の他に、検知距離を手動で調節する機能を具備させてもよい。この場合、例えばリモコンに手動調節スイッチを設け、この手動調節スイッチの操作により直接手動調節できるようにしてもよい。また、手動調節スイッチを設けることなく、リモコンに設けられた複数（例えば３個）のスイッチを特定の組み合わせで同時に一定時間以上押すと手動調節モードとなり、その後洗浄強さ調節スイッチ等の所定のスイッチを操作することにより、検知距離を手動調節できるようにしてもよい。この場合も、上記の通り、手動調節モードであることを示す表示手段を設けてもよい。
【００５９】
上記実施の形態はいずれも本発明の一例であり、本発明は上記以外の形態をもとりうる。例えば、本発明の人体検知装置は、洋風便器の他に、男子小用便器や洗面所の自動水栓等に適用されてもよい。
【図面の簡単な説明】
【００６０】
【図１】実施の形態に係る人体検知装置付きトイレ設備を示す斜視図である。
【図２】便蓋自動開閉装置付き洋風便器の斜視図である。
【図３】便蓋自動開閉装置付き洋風便器の側面図である。
【図４】便蓋自動開閉装置付き洋風便器の平面図である。
【符号の説明】
【００６１】
２，１０  洋風便器
３  タンクカバー
４，１１  便座
５，１６  便蓋
７  受光部
９，２２  人体検知センサ
【図１】
2005195467.tif 000003
【図２】
2005195467.tif 000004
【図３】
2005195467.tif 000005
【図４】
2005195467.tif 000006